(57)【要約】【課題】  構造的に強固である、雪止め用立上げ部の傾倒を防止するためのハゼ部分傾倒防止材を提供することである。【解決手段】  所定の幅をもつ矩形の底板（１２）と、底板の一方の縁部に、垂直方向上方に延びるように接続された垂直板（１４）と、底板の他方の縁部に、底板に対して鋭角度αをなして接続された傾斜板（１６）と、傾斜板の上縁に、垂直板が位置する側と反対側に水平方向に延びるように接続された水平板（１８）とを有し、底板、垂直板、傾斜板および水平板が１枚の金属板を折り曲げることによって形成されていることを特徴とするハゼ部分傾倒防止材（１０）が提供される。【選択図】  図１
2010121306.tif 000002
【特許請求の範囲】
【請求項１】
所定の幅をもつ矩形の底板と、前記底板の一方の縁部に、垂直方向上方に延びるように接続された垂直板と、前記底板の他方の縁部に、前記底板に対して鋭角度をなして接続された傾斜板と、前記傾斜板の上縁に、前記垂直板が位置する側と反対側に水平方向に延びるように接続された水平板とを有し、前記底板、前記垂直板、前記傾斜板および前記水平板が１枚の金属板を折り曲げることによって形成されていることを特徴とするハゼ部分傾倒防止材。
【請求項２】
所定の幅をもつ矩形の底板と、前記底板の一方の縁部に、垂直方向上方に延びるように接続された垂直板と、前記底板の他方の縁部に、前記底板に対して鋭角度をなして接続された傾斜板と、前記垂直板の上縁に、前記傾斜板が位置する側に水平方向に延びるように接続された水平板とを有し、前記底板、前記垂直板、前記傾斜板および前記水平板が１枚の金属板を折り曲げることによって形成されていることを特徴とするハゼ部分傾倒防止材。
【請求項３】
所定の幅をもつ矩形の底板と、前記底板の一方の縁部に、垂直方向上方に延びるように接続された第１垂直板と、前記底板の他方の縁部に、前記底板に対して鋭角度をなして接続された傾斜板と、前記傾斜板の上縁に、前記第１垂直板と実質的に同じ高さになるように垂直方向上方に延びた第２垂直板とを有し、前記底板、前記第１垂直板、前記傾斜板および前記第２垂直板が１枚の金属板を折り曲げることによって形成されていることを特徴とするハゼ部分傾倒防止材。
【請求項４】
屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せることによって形成される雪止め用立上げ部を有する屋根構造体であって、
前記下ハゼ部分の水平部と前記上ハゼ部分の水平部との間の隙間に、前記請求項１又は２のハゼ部分傾倒防止材の前記水平板を挿入し、前記垂直板を前記下ハゼ部分の垂直部に接触させた状態で、前記底板を屋根板に固定することによって前記請求項１又は２のハゼ部分傾倒防止材が取付けられていることを特徴とする屋根構造体。
【請求項５】
屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せ、下ハゼ部分と上ハゼ部分の水平部を締め付けて下方に折り曲げることによって形成される雪止め用立上げ部を有する屋根構造体であって、
下方に折り曲げられた上ハゼ部分および下ハゼ部分の隙間に、前記請求項３のハゼ部分傾倒防止材の前記第１垂直板の先端および前記第２垂直板を挿入し、前記第１垂直板を下ハゼ部分の垂直部に接触させた状態で、前記底板を屋根板に固定することによって前記請求項３のハゼ部分傾倒防止材が取付けられていることを特徴とする屋根構造体。
【請求項６】
前記ハゼ部分傾倒防止材の底板の屋根板への固定が、両面に感圧接着剤が塗布されたブチルテープによって行われることを特徴とする請求項４又は５に記載の屋根構造体。
【発明の詳細な説明】
【技術分野】
【０００１】
本発明は、ハゼ部分傾倒防止材およびハゼ部分傾倒防止材が設置された屋根構造体に関する。
【背景技術】
【０００２】
積雪寒冷地においては、建物の屋根に降り積もる雪を如何にして処理するかが問題となる。とりわけ、傾斜屋根を採用した場合には、屋根に降り積もった雪が落下すると、歩行者に危険である、交通障害となる、等の種々の不都合が発生する。したがって、積雪寒冷地において傾斜屋根とする場合には、屋根の雪が落下しにくいように、工夫を凝らす必要があり、無落雪式の傾斜屋根として、横筋状に雪止め用立上げ部を設置した横葺き屋根が知られている（図８参照）。このような横筋状に雪止め用立上げ部を設置した横葺き屋根構造体では、屋根の上に積もった雪が過大になると、雪の重みにより、雪止め用立上げ部が軒先方向に傾斜してしまい、雪止めとしての機能を果たすことができないという課題があった。そこで、本発明者は、横葺き屋根構造体に設置される雪止め用立上げ部の傾倒を防止するハゼ部分傾倒防止材を開発した（特許文献１参照）。
【０００３】
【特許文献１】特願２００７−２３８７０３号
【発明の開示】
【発明が解決しようとする課題】
【０００４】
特許文献１に記載したハゼ部分傾倒防止材は、幸いにも好評をもって迎えられたが、より構造的に強固なハゼ部分傾倒防止材に対する要請もある。
【０００５】
本発明は、このような現状に鑑みて開発されたものであって、構造的に強固に形成された、雪止め用立上げ部の傾倒を防止するためのハゼ部分傾倒防止材を提供することを目的としている。
【課題を解決するための手段】
【０００６】
本願請求項１に記載のハゼ部分傾倒防止材は、所定の幅をもつ矩形の底板と、前記底板の一方の縁部に、垂直方向上方に延びるように接続された垂直板と、前記底板の他方の縁部に、前記底板に対して鋭角度をなして接続された傾斜板と、前記傾斜板の上縁に、前記垂直板が位置する側と反対側に水平方向に延びるように接続された水平板とを有し、前記底板、前記垂直板、前記傾斜板および前記水平板が１枚の金属板を折り曲げることによって形成されていることを特徴とするものである。
【０００７】
本願請求項２に記載のハゼ部分傾倒防止材は、所定の幅をもつ矩形の底板と、前記底板の一方の縁部に、垂直方向上方に延びるように接続された垂直板と、前記底板の他方の縁部に、前記底板に対して鋭角度をなして接続された傾斜板と、前記垂直板の上縁に、前記傾斜板が位置する側に水平方向に延びるように接続された水平板とを有し、前記底板、前記垂直板、前記傾斜板および前記水平板が１枚の金属板を折り曲げることによって形成されていることを特徴とするものである。
【０００８】
本願請求項３に記載のハゼ部分傾倒防止材は、所定の幅をもつ矩形の底板と、前記底板の一方の縁部に、垂直方向上方に延びるように接続された第１垂直板と、前記底板の他方の縁部に、前記底板に対して鋭角度をなして接続された傾斜板と、前記傾斜板の上縁に、前記第１垂直板と実質的に同じ高さになるように垂直方向上方に延びた第２垂直板とを有し、前記底板、前記第１垂直板、前記傾斜板および前記第２垂直板が１枚の金属板を折り曲げることによって形成されていることを特徴とするものである。
【０００９】
本願請求項４に記載の、屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せることによって形成される雪止め用立上げ部を有する屋根構造体は、前記下ハゼ部分の水平部と前記上ハゼ部分の水平部との間の隙間に、前記請求項１又は２のハゼ部分傾倒防止材の前記水平板を挿入し、前記垂直板を前記下ハゼ部分の垂直部に接触させた状態で、前記底板を屋根板に固定することによって前記請求項１又は２のハゼ部分傾倒防止材が取付けられていることを特徴とするものである。
【００１０】
本願請求項５に記載の、屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せ、下ハゼ部分と上ハゼ部分の水平部を締め付けて下方に折り曲げることによって形成される雪止め用立上げ部を有する屋根構造体は、下方に折り曲げられた上ハゼ部分および下ハゼ部分の隙間に、前記請求項３のハゼ部分傾倒防止材の前記第１垂直板の先端および前記第２垂直板を挿入し、前記第１垂直板を下ハゼ部分の垂直部に接触させた状態で、前記底板を屋根板に固定することによって前記請求項３のハゼ部分傾倒防止材が取付けられていることを特徴とするものである。
【００１１】
本願請求項６に記載の屋根構造体は、前記請求項４又は５に記載の屋根構造体において、前記ハゼ部分傾倒防止材の底板の屋根板への固定が、両面に感圧接着剤が塗布されたブチルテープによって行われることを特徴とするものである。
【発明の効果】
【００１２】
本発明のハゼ部分傾倒防止材により、屋根の雪止め用立上げ部の傾倒を防止することができる。本発明のハゼ部分傾倒防止材は、構造的に強固であるとともに、極めて簡単な構造であるので、取付けが容易で且つ安価である。また、本発明のハゼ部分傾倒防止材は、新設の屋根にも既設の屋根にも適用することができる。本発明のハゼ部分傾倒防止材が取付けられた屋根構造体では、雪止め用立上げ部の傾倒を効果的に防止することができる。
【発明を実施するための最良の形態】
【００１３】
次に図面を参照して、本発明の好ましい実施の形態に係るハゼ部分傾倒防止材について詳細に説明する。図１（ａ）は、本発明の第１の実施の形態に係るハゼ部分傾倒防止材を示した斜視図である。図１（ａ）において全体として参照符号１０で示される第１の実施の形態に係るハゼ部分傾倒防止材は、所定の幅Ｗ1 をもつ矩形の底板１２と、底板１２の一方の縁部に、垂直方向上方に延びるように接続された垂直板１４と、底板１２の他方の縁部に、底板１２に対して鋭角度αをなして接続された傾斜板１６と、傾斜板１６の上縁に、垂直板１４が位置する側と反対側に水平方向に延びるように接続された水平板１８とを有している。
【００１４】
ハゼ部分傾倒防止材１０は、１枚の金属板を折り曲げることによって形成されている。なお、底板１２と傾斜板１６とのなす鋭角度αは、３０°〜６０°であるのが好ましい。
【００１５】
図１（ｂ）は、図１（ａ）に示されるハゼ部分傾倒防止材１０の変形形態を示した斜視図である。図１（ｂ）に示されるハゼ部分傾倒防止材１０′は、水平板１８が、傾斜板１６の上縁に接続されているのではなく、垂直板１４の上縁に接続されている点を除いて、ハゼ部分傾倒防止材１０と実質的に同一の構成を有している。
【００１６】
図２は、本発明の第２の実施の形態に係るハゼ部分傾倒防止材を示した斜視図である。図２において全体として参照符号２０で示される第２の実施の形態に係るハゼ部分傾倒防止材は、所定の幅Ｗ2 をもつ矩形の底板２２と、底板２２の一方の縁部に、垂直方向上方に延びるように接続された第１垂直板２４と、底板２２の他方の縁部に、底板２２に対して鋭角度βをなして接続された傾斜板２６と、傾斜板２６の上縁に、第１垂直板２４と実質的に同じ高さになるように垂直方向上方に延びた第２垂直板２８とを有している。
【００１７】
ハゼ部分傾倒防止材２０も、１枚の金属板を折り曲げることによって形成されている。また、底板２２と傾斜板２４とのなす鋭角度βは、鋭角度αと同様に、３０°〜６０°であるのが好ましい。
【００１８】
次に、ハゼ部分傾倒防止材１０、１０′、２０の取付け方法について説明する。ハゼ部分傾倒防止材１０、１０′が取付けられる屋根は、図３（ａ）に示されるように、屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せることによって形成される雪止め用立上げ部に取付けられる。ハゼ部分傾倒防止材１０、１０′は、下ハゼ部分の水平部と上ハゼ部分の水平部との間の隙間に水平板１８を挿入し、垂直板１４を下ハゼ部分の垂直部に接触させた状態で、ブチルテープ等を用いて底板１２を屋根板に接着することによって取付けられる（図３（ｂ）参照）。
【００１９】
ハゼ部分傾倒防止材２０が取付けられる屋根は、図５（ａ）に示されるように、屋根板の一方の縁部を折り立てることによって形作られる逆Ｌ字形の下ハゼ部分に、隣接する屋根板の対応する縁部を折り立てることによって形作られる逆Ｌ字形の上ハゼ部分を被せ、下ハゼ部分と上ハゼ部分の水平部を締め付けて下方に折り曲げることによって形成される雪止め用立上げ部に取付けられる。ハゼ部分傾倒防止材２０は、下方に折り曲げられた上ハゼ部分／下ハゼ部分の隙間に、第１垂直板２４の先端および第２垂直板２８を挿入し、第１垂直板２４を下ハゼ部分の垂直部に接触させた状態で、ブチルテープ等を用いて底板２２を屋根板に接着することによって取付けられる（図５（ｂ）参照）。
【００２０】
ブチルテープは、両面に感圧接着剤が塗布されたものを用いるのが好ましいが、他の適当な手段でテープを屋根板に固定してもよい。なお、屋根板とハゼ部分傾倒防止材１０、１０′、２０の底板１２、１２′、２２との間に水が侵入しないように、底板１２、１２′、２２の縁部に沿ってシーリング処理を施すのが好ましい（図４、図６参照）。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
たとえば、前記実施の形態では、ブチルテープを用いてハゼ部分傾倒防止材１０、１０′、２０を屋根板に取付けているが、ブチルテープの代わりにビス等の締結具を用いてもよい。
【００２３】
また、図示されているハゼ部分傾倒防止材１０、１０′、２０の寸法や傾斜角度は、単なる例示的なものにすぎず、図示されている寸法や傾斜角度以外にしてもよい。また、ハゼ部分傾倒防止材１０、１０′、２０の底板１２、１２′、２２の幅Ｗ1 、Ｗ2 を、雪止め用立上げ部の幅全体にわたるように選定してもよい（図７（ｂ）参照）。
【００２４】
本発明のハゼ部分傾倒防止材１０、２０および屋根構造体は、新設の屋根に用いてもよいし、既設の屋根に用いてもよい。
【図面の簡単な説明】
【００２５】
【図１】図１（ａ）は、本発明の第１の実施の形態に係るハゼ部分傾倒防止材を示した斜視図、図１（ｂ）は、図１（ａ）のハゼ部分傾倒防止材の変形形態を示した斜視図である。
【図２】本発明の第２の実施の形態に係るハゼ部分傾倒防止材を示した斜視図である。
【図３】図３（ａ）は、図１（ａ）、（ｂ）のハゼ部分傾倒防止材が取付けられる屋根構造体を示した断面図、図３（ｂ）は、図３（ａ）の屋根構造体にハゼ部分傾倒防止材が取付けられている状態を示した断面図である。
【図４】図１（ａ）、（ｂ）のハゼ部分傾倒防止材が取付けられた屋根構造体を示した拡大斜視図である。
【図５】図５（ａ）は、図２のハゼ部分傾倒防止材が取付けられる屋根構造体を示した側面図、図５（ｂ）は、図５（ａ）の屋根構造体にハゼ部分傾倒防止材が取付けられている状態を示した側面図である。
【図６】図２のハゼ部分傾倒防止材が取付けられた屋根構造体を示した拡大斜視図である。
【図７】図７（ａ）は、図１（ａ）、（ｂ）、図２のハゼ部分傾倒防止材が取り付けられている横葺き屋根を示した斜視図、図７（ｂ）は、図１（ａ）、（ｂ）、図２のハゼ部分傾倒防止材が雪止め用立上げ部の幅全体にわたって取り付けられている横葺き屋根を示した斜視図である。
【図８】横筋状に雪止め用立上げ部を設置した、従来の横葺き屋根を示した斜視図である。
【符号の説明】
【００２６】
１０、１０′  第１の実施の形態に係るハゼ部分傾倒防止材
１２、１２′  底板
１４、１４′  垂直板
１６、１６′  傾斜板
１８、１８′  水平板
２０  第２の実施の形態に係るハゼ部分傾倒防止材
２２  底板
２４  第１垂直板
２６  傾斜板
２８  第１垂直板
【図１】
2010121306.tif 000003
【図２】
2010121306.tif 000004
【図３】
2010121306.tif 000005
【図４】
2010121306.tif 000006
【図５】
2010121306.tif 000007
【図６】
2010121306.tif 000008
【図７】
2010121306.tif 000009
【図８】
2010121306.tif 000010